(57)【要約】【課題】  ＲＦＩＤラベルの情報を読み込み制御手段で管理して効果的、的確な収納品の管理を行い、防犯を実現するデシケーターを提供する。【解決手段】  収納品情報を登録したＲＦＩＤラベル４０を貼付した収納容器２０と、この収納容器２０を収納するデシケーター１０からなり、前記ＲＦＩＤラベル４０の情報を読み取る自動読取手段３１と、前記情報を解析する制御手段３６と、前記情報を送受信する送受信手段３５と、前記収納品の取出し及び収納場所を作業者に指定する誘導表示手段４１と、前記指定以外の場所で収納品を取出し又は収納した際に警告をする警告手段３７とを備えた自動認識システムによる防犯機能付デシケーター。【選択図】図１
2009129082.tif 000002
【特許請求の範囲】
【請求項１】
収納品に関する情報を登録したＲＦＩＤラベルを貼付した収納品又は同容器と、この収納品又は同容器を収納するデシケーターからなり、
前記デシケーター内部に設置した前記ＲＦＩＤラベルの情報を読み取る非接触型の自動読取手段と、前記情報を解析する制御手段と、前記自動読取手段と制御手段の情報を相互に送受信する送受信手段と、前記収納品の取出し及び収納場所を作業者に指定する誘導表示手段と、前記指定以外の場所で収納品を取出し又は収納した際に警告をする警告手段を備えた自動認識システムによる防犯機能付デシケーター。
【請求項２】
収納品に関する情報を登録したＲＦＩＤラベルを貼付した収納品又は同容器と、この収納品又は同容器を収納するデシケーターからなり、
前記デシケーター内部に設置した前記ＲＦＩＤラベルの情報を読み取る接触型の自動読取手段と、前記情報を解析する制御手段と、前記自動読取手段と制御手段の情報を相互に送受信する送受信手段と、前記収納品の取出し及び収納場所を作業者に指定する誘導表示手段と、前記指定以外の場所で収納品を取出し又は収納した際に警告をする警告手段を備えた自動認識システムによる防犯機能付デシケーター。
【請求項３】
前記誘導表示手段をデシケーター内部に設置した誘導表示灯によって構成し、前記警告手段をデシケーターの天板上に設けた信号灯によって構成したことを特徴とする請求項１または請求項２記載の自動認識システムによる防犯機能付デシケーター。
【発明の詳細な説明】
【技術分野】
【０００１】
本発明は、ＲＦＩＤラベルを利用し、庫内環境管理、作業工程管理、防犯機能を付加した自動認識システムによる防犯機能付デシケーターに関する。
【背景技術】
【０００２】
従来より庫内に収納された物品を正確に管理して、入出庫作業能率を高めるようにした製品保存管理システムが提案されていた。
例えば特許文献１に示されたものは、保存期間の短い製品（１０）が収納されて保管される複数の収納部（２）（３）を有する製品保管用キャビネット（１）と、この製品保管用キャビネットの各々の収納部内に収納される製品の入出庫状態を管理する製品入出庫管理制御装置（５）とを備え、この製品入出庫管理制御装置は、製品に貼付されたバーコード（１１）を読み取るバーコード入力装置（７）と、このバーコード入力装置にて入力された製品の保存期間等のデータを記憶するデータ記憶部と、このデータ記憶部にて記憶されたデータに基づいて前記製品保管用キャビネットの各々の収納部に収納された製品を呼び出す製品呼出し出力装置（６）とからなる製品保存管理システムである。
【特許文献１】特開平７−８５１５８号
【０００３】
前記発明は、製品保管用キャビネットの複数の収納部内にそれぞれ収納される製品の入出庫状態を、製品に貼付されたバーコードの管理によって行うため、製品付近に障害物がある場合やバーコードの自動読み込みが比較的困難である。
またバーコードに記録できる最大情報量も少ないため十分な情報が記録できない上に、製品の取り出しや収納時には管理者がバーコード入力装置で直接バーコードを読み込む必要があり、作業効率が悪く、また読み忘れなども懸念されるという問題点があった。
【発明の開示】
【発明が解決しようとする課題】
【０００４】
本発明は上記の点に鑑みなされたものであり、乱反射の影響を受けない接触及び非接触型ＲＦＩＤラベルの情報を読み込み、コンピューターによる制御手段で集中管理することにより、効果的かつ的確なトレサビリティー及び収納品の管理を行い、また防犯を実現できる加湿及び加温式の自動認識システムによる防犯機能付デシケーターを提供するものである。
【課題を解決するための手段】
【０００５】
本発明の要旨とするところは、収納品に関する情報を登録したＲＦＩＤラベルを貼付した収納品又は同容器と、この収納品又は同容器を収納するデシケーターからなり、前記デシケーター内部に設置した前記ＲＦＩＤラベルの情報を読み取る非接触型の自動読取手段と、前記情報を解析する制御手段と、前記自動読取手段と制御手段の情報を相互に送受信する送受信手段と、前記収納品の取出し及び収納場所を作業者に指定する誘導表示手段と、前記指定以外の場所で収納品を取出し又は収納した際に警告をする警告手段を備えた自動認識システムによる防犯機能付デシケーターである。
【０００６】
また、本発明の要旨とするところは、収納品に関する情報を登録したＲＦＩＤラベルを貼付した収納品又は同容器と、この収納品又は同容器を収納するデシケーターからなり、前記デシケーター内部に設置した前記ＲＦＩＤラベルの情報を読み取る接触型の自動読取手段と、前記情報を解析する制御手段と、前記自動読取手段と制御手段の情報を相互に送受信する送受信手段と、前記収納品の取出し及び収納場所を作業者に指定する誘導表示手段と、前記指定以外の場所で収納品を取出し又は収納した際に警告をする警告手段を備えた自動認識システムによる防犯機能付デシケーターである。
【０００７】
また、本発明の要旨とするところは、前記誘導表示手段をデシケーター内部に設置した誘導表示灯によって構成し、前記警告手段をデシケーターの天板上に設けた信号灯によって構成したことを特徴とする自動認識システムによる防犯機能付デシケーターである。
【発明の効果】
【０００８】
本発明は上記の如き構成であるため、請求項１記載の発明は、収納品又は同容器に貼付したＲＦＩＤラベルに登録されている情報を非接触型の自動読取手段を介して読取り、その情報を制御装置で管理するので、効果的かつ的確なトレサビリティー及び収納品の管理を行うことができＬＡＮ(LOCAL AREA NETWORK)へのオンライン化が可能となる。
また、特定の作業者以外の者の作業を防止し、コンピューター上による工程管理及びピッキング等の犯罪を防止することが可能となる。
さらにＲＦＩＤラベルの特性を生かし、ラベルの貼り変えを行うことなく情報の追加や変更も行うことができるという効果も奏するのである。
【０００９】
請求項２に記載の発明は、ＲＦＩＤラベルに登録されている情報を接触型の自動読取手段を介して読取るため、上記請求項１記載の発明の効果に加え、自動読取手段の構成が簡易になると共に、ＲＦＩＤラベルの情報をより確実に読み取ることができる。
【００１０】
請求項３に記載の発明は、前記誘導表示手段を誘導表示灯によって構成したため作業者にとって作業内容が分かりやすく、また前記警告手段を信号灯によって構成したため警告内容が周囲の作業者に迅速に伝わる等の効果がある。
【発明を実施するための最良の形態】
【００１１】
本発明を実施するための最良の形態は、収納品に関する情報を登録した非接触型ＲＦＩＤラベルを貼付した収納容器と、この収納容器を収納する収納品保管用のデシケーターを構成する。そしてこのデシケーターの両側板と天板の内側に、前記ＲＦＩＤラベルの情報を読み取る自動読取手段を設けると共に、前記情報を解析する制御手段をデシケーター外のコンピューターに設ける。
さらに、前記自動読取手段と制御手段の情報を相互に送受信する送受信手段と収納容器の取出し場所及び収納場所を特定の作業者に指定する誘導表示手段をデシケーター内に設けると共に、前記特定の作業者以外の者が作業を行った場合や、前記指定以外の場所や指定以外の収納容器を取出し又は収納した際に警告を行う警告手段を前記デシケーターの天板上に立設した。
【００１２】
以下、本発明の第１実施形態を図に基づいて説明する。
本明細書において、ＲＦＩＤとは、Ｒａｄｉｏ  Ｆｒｅｑｕｅｎｃｙ  Ｉｄｅｎｔｉｆｉｃａｔｉｏｎの略であり、いわゆる非接触ＩＣタグを指す。
【００１３】
図１は、本発明の第１実施形態の構成を示す斜視図である。
図１において、加湿及び加温式を含むスチール製の収納品保管用のデシケーター１０内には、収納品（図示せず）を収納した搬送用あるいは梱包用容器である収納容器２０が収納されている。この収納容器の側板２１の外側にはＲＦＩＤラベル４０が貼付されている。このＲＦＩＤラベル４０には収納品情報、使用期限、責任者、収納品ＩＤ及び、収納品に関するトレサビリティー情報等の必要情報が登録してある。
また、ＲＦＩＤラベル４０は収納品に直接貼付しても良い。
【００１４】
前記デシケーター１０の両側板１１，１１内側と天板１２の内側に夫々、ＲＦＩＤラベル４０の情報を読み取る自動読取手段であるアンテナ３１，３１，３２を固定すると共に、前記情報を解析する制御手段として外部にコンピューター３６を設ける。
【００１５】
さらに前記デシケーター１０の背板１３内側には、前記アンテナ３１，３１，３２の情報をコンピューター３６に送信し、あるいはコンピューター３６からの情報を受信してアンテナ３１，３１，３２を介してＲＦＩＤラベル４０に送信する送受信手段である送受信機３５を設ける共に、棚板１４の前方には特定の作業者に収納品の取出し場所及び収納品の収納場所を指定する誘導表示手段である誘導表示灯４１，４１，４１を設ける。
図中、３７はデシケーター１０の上部の天板上に設けた警告手段である信号灯である。
【００１６】
前記のように構成した第１実施形態の作用、効果について説明する。
まず収納品の収納時には、あらかじめ定められた特定の作業者がＲＦＩＤラベル４０を貼付してある収納容器２０に収納品を収納してデシケーター１０内に収納する。この収納容器２０の収納時に、コンピューター３６があらかじめ定められた作業工程に基づいて指示を出し、収納場所を示す誘導表示灯４１を点灯させて作業者へ収納場所を指定して正確に誘導する。
【００１７】
このとき作業者が前記誘導表示灯４１が示す場所と異なる場所へ収納を行った場合、コンピューター３６はその異常を信号灯３７を異常色点灯させることにより作業者へ知らせ、同時に信号灯内蔵ブザーによって警告音を発する。このため作業ミスが防止できる。
また前記特定の作業者以外の者が作業を行った場合には、コンピューター３６はその作業者が特定の作業者でないことを検知して、同様な警告を行うことができるため防犯効果を有するのである。
【００１８】
一方、正常に収納容器２０の収納がなされた場合は、アンテナ３１・・でＲＦＩＤラベル４０の情報を受信し、収納容器２０が正常に収納されたことを送受信機３５によってコンピューター３６へ伝える。
【００１９】
次に収納容器２０を取出す場合、作業工程に基づきコンピューター３６より取出し対象の棚にある誘導表示灯４１を点灯させ、当該作業者に確実に取出しの指示を行う。
このとき、誘導表示灯４１が示す場所と異なる場所から取出した場合、あるいは無断取出しや盗難を目的とした取出し行為が行われた場合には、当該取出した収納容器２０に貼付したＲＦＩＤラベル４０の情報をアンテナ３１・・が検知して、その情報を送受信機３５を介してコンピューター３６へ伝える。
この情報を受信したコンピューター３６は、信号灯３７を異常色に点灯させることによってこの異常を知らせ、同時に信号灯内蔵ブザーで警告音を発する。
そのため、取出し作業が正確に行われると共に、盗難などの犯罪も未然にかつ確実に防止できるのである。
【００２０】
もし、デシケーター１０の収納中に、ＲＦＩＤラベル４０の情報内容に対し追加又は編集を行いたい場合は、コンピューター３６の操作により、送受信機３５及びアンテナ３１，３１，３２を介して、対象ＲＦＩＤラベル４０の内容を変更することができる。
【００２１】
本発明の第２実施形態を図２に基づいて説明する。
本実施形態は、前記第１実施形態におけるＲＦＩＤラベル４０を接触型として収納容器２０の底板２２の裏面に貼付し、アンテナ３４も接触型としてデシケーター１０の棚板１４の上部全面にシート型として設置したものである（図５参照）。
その他の構成は第１実施形態と同一のため同一の番号を付して説明を省略する。
前記アンテナ３４の設置場所は、棚板１４の上部全面に限定されず、側板１１、天板１２あるいは背板１３に設けても良い。
【００２２】
本実施形態によれば、収納容器２０を収納する際に棚板１４に貼付したＲＦＩＤラベル４０が、アンテナ３４に直接接触して情報の伝達を行う。従ってスチール製のデシケーター１０内での電波の乱反射が起こらず非接触型に比べ情報が確実に伝わるという長所がある。
本実施形態のその他の構成、作用、効果は第１実施形態と同様のため説明を省略する。
【００２３】
本発明の第３実施形態を図３に基づいて説明する。
本実施形態は、前記第１実施形態における誘導表示灯４１と信号灯３７を設けずに、誘導表示手段と警告手段をコンピューター３６の内部に設けた構成よりなる。
その他の構成は第１実施形態と同一のため同一の番号を付して説明を省略する。
【００２４】
本実施形態によれば、誘導表示あるいは警告が必要な場合には、夫々コンピューター３６のモニター上に表示したり、あるいは音声によって誘導したり警告を発したりするものである。従って第１実施形態に比べ装置全体の構造が簡単となる。
本実施形態のその他の構成、作用、効果は第１実施形態と同様のため説明を省略する。    
【００２５】
本発明の第４実施形態を図４に基づいて説明する。
本実施形態は、前記第２実施形態における誘導表示灯４１と信号灯３７を設けずに、誘導表示手段と警告手段をコンピューター３６の内部に設けた構成よりなる。
その他の構成は第２実施形態と同一のため同一の番号を付して説明を省略する。
【００２６】
本実施形態によれば、誘導表示あるいは警告が必要な場合には、夫々コンピューター３６のモニター上に表示したり、あるいは音によって誘導したり警告を発したりするものである。従って第２実施形態に比べ構造が簡易となる。
本実施形態のその他の構成、作用、効果は第２実施形態と同様のため説明を省略する。
【図面の簡単な説明】
【００２７】
【図１】本発明の第１実施形態の斜視図
【図２】本発明の第２実施形態の斜視図
【図３】本発明の第３実施形態の斜視図
【図４】本発明の第４実施形態の斜視図
【図５】図２の棚板とアンテナの位置関係を示す一部拡大正面図
【符号の説明】
【００２８】
１０  収納品保管用のデシケーター
１１  側板
１２  天板
１３  背板
１４  棚板
２０  収納容器
２１  側板
２２  底板
３１  アンテナ（自動読取手段）
３２  アンテナ（自動読取手段）
３４  アンテナ（自動読取手段）
３５  送受信機（送受信手段）
３６  コンピューター（制御手段）（警告手段）（誘導表示手段）
３７  信号灯（警告手段）
４０  ＲＦＩＤラベル
４１  誘導表示灯（誘導表示手段）
【図１】
2009129082.tif 000003
【図２】
2009129082.tif 000004
【図３】
2009129082.tif 000005
【図４】
2009129082.tif 000006
【図５】
2009129082.tif 000007